(57)【要約】      （修正有）【課題】伝送速度を高めることができる電気コネクタを提供する。【解決手段】電気コネクタ１は、絶縁本体１０と、複数の導電端子２０と、該絶縁本体を覆うシェル３１とを備える。前記絶縁本体には、基部１１と該基部から前に延在して形成した舌片１２とが設けられ、舌片の表面に基部を貫通した端子チャネル１３が設けられ、舌片のそばに位置する基部に端子収容孔１４が設けられる。前記導電端子は、絶縁本体に収容され、前記舌片の表面の端子チャネル内に並設される第１端子２１と、前記端子収容孔内に設置される第２端子２２とを含んでいる。こうして、導電端子数を増えることを通じて、該電気コネクタの伝送速度が高められる。【選択図】図２
0003107405.tif 000002
【実用新案登録請求の範囲】
【請求項１】
基部と、該基部から前に延在し、表面に基部を貫通した端子チャネルが設けられる舌片とを有する絶縁本体と、
前記絶縁本体に収容され、前記舌片の表面の端子チャネルに並設される第１端子を有する複数の導電端子と、
を含んで、前記舌片のそばに位置する基部に端子収容孔が設けられ、該端子収容孔に第２端子が設置されることを特徴とする電気コネクタ。
【請求項２】
前記絶縁本体の基部は、当接面と該当接面に相対する取付面とを備え、前記端子収容孔が基部の当接面から取付面を貫通したこと特徴とする請求項１に記載の電気コネクタ。
【請求項３】
前記絶縁本体の基部の端子収容孔に設置された第２端子は、ほぼアーチを呈する接触部を備えること特徴とする請求項１に記載の電気コネクタ。
【請求項４】
前記絶縁本体の基部の端子収容孔に設置された第２端子は、前記接触部に垂直に連接する矩形の平板を呈する連接部を含んでいることを特徴とする請求項３に記載の電気コネクタ。
【請求項５】
前記第２端子は、前記接触部に相対し、且つ前記連接部に垂直に延在している尾部を有することを特徴とする請求項４に記載の電気コネクタ。
【請求項６】
基部と、該基部から前に延在し、表面に基部を貫通した端子チャネルが設けられる舌片とを有する絶縁本体と、
前記絶縁本体に収容され、前記舌片の表面の端子チャネルに並設される第１端子を有する複数の導電端子と、
前記絶縁本体を覆うシェルと、
を含んで、前記舌片のそばに位置する基部に端子収容孔が設けられ、該端子収容孔に第２端子が設置されることを特徴とする電気コネクタ。
【請求項７】
前記絶縁本体の基部は、当接面と該当接面に相対する取付面とを備え、前記端子収容孔が基部の当接面から取付面を貫通したこと特徴とする請求項６に記載の電気コネクタ。
【請求項８】
前記絶縁本体の基部の端子収容孔に設置された第２端子は、ほぼアーチを呈する接触部を備えること特徴とする請求項６に記載の電気コネクタ。
【請求項９】
前記絶縁本体の基部の端子収容孔に設置された第２端子は、前記接触部に垂直に連接する矩形の平板を呈する連接部を含んでいることを特徴とする請求項８に記載の電気コネクタ。
【請求項１０】
前記第２端子は、前記接触部に相対し、且つ前記連接部に垂直に延在している尾部を有することを特徴とする請求項９に記載の電気コネクタ。
【考案の詳細な説明】
【技術分野】
【０００１】
本考案は、電気コネクタに関し、特に伝送速度を高めることができる電気コネクタに関するものである。
【背景技術】
【０００２】
従来、このような電気コネクタは、所謂ユニバーサルシリアルバスつまりＵＳＢ（Universal Serial Bus）コネクタとして知られている。この電気コネクタは伝送速度が速いため、業界で広く使用されている。
【０００３】
特許文献１と特許文献２と特許文献３は従来の電気コネクタを提示する。従来の電気コネクタは、基本的に、絶縁本体と、絶縁本体に組み込まれる四つの導電端子と、絶縁本体を覆ったシェルとを備える。前記絶縁本体は、直立する基部と、該基部から前に延在した舌片とを含んでいる。前記導電端子が絶縁本体の舌片の底面に設置したチャネルに配設されている。
【０００４】
しかしながら、現在、当該業界では電気コネクタの伝送速度をより速くする要求があり、従来のＵＳＢ電気コネクタが伝送速度の要求を満足しないので、より速い伝送速度を得るために、新型の電気コネクタを開発する必要がある。
【特許文献１】米国特許文献第５，９９３，２５８号明細書
【特許文献２】中華人民共和国実用新案公報第２４８３８５１号明細書
【特許文献３】中華人民共和国実用新案公報第２４８３８６１号明細書
【考案の開示】
【考案が解決しようとする課題】
【０００５】
本考案は、伝送速度を高めることができる電気コネクタを提供することを目的とする。
【課題を解決するための手段】
【０００６】
前記目的を達成するために、本考案の電気コネクタは、絶縁本体と、複数の導電端子と、シェルとを備える。前記絶縁本体は、基部と、該基部から前に延在し、表面に基部を貫通した端子チャネルが設けられる舌片とを有する。前記導電端子は、前記絶縁本体に収容され、前記舌片の表面の端子チャネルに並設される第１端子を有する。前記シェルは絶縁本体を覆う。前記舌片のそばに位置する基部に端子収容孔が設けられ、該端子収容孔に第２端子が設置される。
【考案の効果】
【０００７】
従来の技術に比べると、本考案は以下の長所がある。絶縁本体の舌片の端子チャネル内に第１端子が並設され、且つ、舌片の下方に位置する基部の端子収容孔内に第２端子が設置されている。こうして、導電端子数を増えることを通じて、該電気コネクタの伝送速度が高められる。
【考案を実施するための最良の形態】
【０００８】
図１〜図６に基づいて、本考案の電気コネクタ１について説明する。本考案の電気コネクタ１は、絶縁本体１０と、絶縁本体１０に組み込まれる導電端子２０と、絶縁本体１０を覆っているシェル３０とを含んでいる。
【０００９】
図２及び図３を参照すると、前記絶縁本体１０は、例えばモールド樹脂等により一体的に形成されたものであり、基部１１と、該基部１１から前に延在した舌片１２とを備える。前記基部１１は、当接面１１１と、該当接面１１１に相対する取付面１１２とを含んでいる。舌片１２の下壁（符号なし）には、基部１１を貫通するとともに該舌片１２の前端面（符号なし）に近接する箇所から後ろに延在する四つの端子チャネル１３が設けられる。舌片１２の下方に位置する基部１１には、当接面１１１及び取付面１１２を貫通した端子収容孔１４が設置される。
【００１０】
図２〜図４を参照すると、前記の導電端子２０は導電体から形成されており、従来のＵＳＢ電気コネクタの端子（図示せず）の形状及び構成と同じ四つの「Ｌ」字状を呈する第１端子２１と、ほぼ「７」字状を呈する一対の第２端子２２とを含んでいる。前記第１端子２１は従来のＵＳＢ電気コネクタの端子と同じであるため、本実施形態では、該第１端子２１について詳しく述べない。
【００１１】
図４に示すように、前記一対の「７」字状を呈する第２端子２２は、矩形の平板を呈する連接部２３と、該連接部２３に位置する面に垂直で、該連接部２３の一側端２３１から曲がり延在したほぼアーチを呈する接触部２４と、接触部２４と同じ方向に沿って該連接部２３に位置する面に垂直で、連接部２３の他側端２３２から横に延びてから下方に向けて延在している尾部２５とを含んでいる。前記接触部２４は、前記連接部２３と一体的に接している腕部２４１と、該腕部２４１から一体的に延在しアーチを呈する弓形部２４２と、該弓形部２４２から一体的に延在した末端部２４３とを備える。
【００１２】
図５及び図６を参照すると、前記第１端子２１は、絶縁本体１０の舌片１２に設けた端子チャネル１３内に並設され、その挿接部２１１は、絶縁本体１０の基部１１の取付面１１２に沿って下方に向けて延びている。第２端子２２の弓形部２４２は、舌片１２の下方の基部１１に設置される端子収容孔１４にそれぞれ収容され、且つ基部１１の当接面１１１に突出している。その尾部２５は、前記端子チャネル１３内に並設される第１端子２１の外側の二つの挿接部２１１と揃っている。
【００１３】
図５及び図６を参照すると、シェル３０は、前記絶縁本体１０の基部１１と舌片１２を覆い、略框体を呈するシールドケース３１と、該シールドケース３１に係合し、絶縁本体１０の基部１１の取付面１１２を覆っているカバー３２とを含んでいる。
【００１４】
本考案に係る電気コネクタ１は、前記舌片１２の端子チャネル１３内に第１端子２１が並設され、かつ舌片１２の下方に位置する基部１１の端子収容孔１４内に第２端子が設置されている。こうして、導電端子数を増えることを通じて、該電気コネクタ１の伝送速度が高められ、且つ本考案の電気コネクタ１は、相変わらずに従来の相手コネクタ（図示せず）に当接することができ、同時に、従来の効果が実現される。したがって、二つの用途を有する電気コネクタ１はコストを低減できる。
【００１５】
以上本考案について最良の実施の形態を参照して詳細に説明したが、実施形態はあくまでも例示的なものであり、これらに限定されるものではない。また前記の説明は、本考案に基づきなしうる細部の修正或いは変更など、いずれも本考案の請求範囲に属するものとする。
【産業上の利用可能性】
【００１６】
本考案は、電気コネクタに関し、特に伝送速度が高められた電気コネクタに関するものである。
【図面の簡単な説明】
【００１７】
【図１】本考案に係る電気コネクタの組立斜視図である。
【図２】本考案に係る電気コネクタの分解斜視図である。
【図３】図２に示す電気コネクタのほかの角度から見る分解斜視図である。
【図４】本考案に係る電気コネクタの第２端子の立体図である。
【図５】本考案に係る電気コネクタの二種の端子の相対位置を表す分解斜視図である。
【図６】本考案に係る電気コネクタのシェルのシールドケースが絶縁本体と分離した分解斜視図である。
【符号の説明】
【００１８】
１  電気コネクタ
１０  絶縁本体
１１  基部
１２  舌片
１３  端子チャネル
１４  端子収容孔
２０  導電端子
２１  第１端子
２２  第２端子
２３  連接部
２４  接触部
２５  尾部
３０  シェル
３１  シールドケース
３２  カバー
１１１  当接面
１１２  取付面
２１１  挿接部
２３１、２３２  側端
２４１  腕部
２４２  弓形部
２４３  末端部
【図１】
0003107405.tif 000003
【図２】
0003107405.tif 000004
【図３】
0003107405.tif 000005
【図４】
0003107405.tif 000006
【図５】
0003107405.tif 000007
【図６】
0003107405.tif 000008